(57)【要約】【課題】識別情報の停止可能位置および有効ラインに変化を与え、可変表示遊技の興趣を高める。【解決手段】少なくとも１つの可変表示部の可変表示が停止している状態で、特別遊技状態を発生する可能性のあるリーチが発生した場合に、リーチ演出表示を行うリーチ演出手段と、リーチ演出表示中に既に選択している停止組合せパターンを別の停止組合せパターンに変更し、複数の可変表示部の全ての可変表示が停止する以前に、複数の可変表示部の有効ライン上以外の識別情報の停止可能位置に特別遊技状態を発生する可能性のあるリーチの組合せになる識別情報と同一の識別情報が停止することを規制することを特徴とする遊技機。【選択図】図５
2008200537.tif 000002
【特許請求の範囲】
【請求項１】
複数の識別情報を複数の可変表示部に可変表示して遊技を行う可変表示装置を備え、
これらの複数の可変表示部の可変表示遊技の結果、複数の可変表示部に亙る有効ライン上に所定の識別情報の組合せが成立したことに関連して、所定の遊技価値を付与する特別遊技状態を発生可能な遊技機において、
複数の可変表示部のそれぞれに設定されて識別情報が停止可能な複数の停止可能位置および該複数の可変表示部に設定された複数の停止可能位置をその線上に含む有効ラインの各々の組合せを定めた複数の異なる停止組合せパターンを有する停止組合せパターン設定手段と、
これらの複数の中から始動口への遊技球の入賞に応じて、停止組合せパターンを選択すると共に、選択した停止組合せパターンを基に可変表示遊技の制御を行うパターン制御手段と、
少なくとも１つの可変表示部の可変表示が停止している状態で、特別遊技状態を発生する可能性のあるリーチが発生した場合に、リーチ演出表示を行うリーチ演出手段と、
リーチ演出表示中に既に選択している停止組合せパターンを別の停止組合せパターンに変更するパターン変更手段と、
複数の可変表示部の全ての可変表示が停止する以前に、複数の可変表示部の有効ライン上以外の識別情報の停止可能位置に特別遊技状態を発生する可能性のあるリーチの組合せになる識別情報と同一の識別情報が停止することを規制する停止規制手段と、
を備えたことを特徴とする遊技機。
【請求項２】
複数の識別情報を複数の可変表示部に可変表示して遊技を行う可変表示装置を備え、
これらの複数の可変表示部の可変表示遊技の結果、複数の可変表示部に亙る有効ライン上に所定の識別情報の組合せが成立したことに関連して、所定の遊技価値を付与する特別遊技状態を発生可能な遊技機において、
複数の可変表示部のそれぞれに設定されて識別情報が停止可能な複数の停止可能位置および該複数の可変表示部に設定された複数の停止可能位置をその線上に含む有効ラインの各々の組合せを定めた複数の異なる停止組合せパターンを有する停止組合せパターン設定手段と、
これらの複数の中から始動口への遊技球の入賞に応じて、停止組合せパターンを選択すると共に、選択した停止組合せパターンを基に可変表示遊技の制御を行うパターン制御手段と、
少なくとも１つの可変表示部の可変表示が停止している状態で、特別遊技状態を発生する可能性のあるリーチが発生した場合に、リーチ演出表示を行うリーチ演出手段と、
リーチ演出表示中に既に選択している停止組合せパターンを別の停止組合せパターンに変更するパターン変更手段と、
複数の可変表示部の有効ライン上以外の識別情報の停止可能位置に特別遊技状態を発生可能な組合せの識別情報と同一の識別情報が停止することを規制する停止規制手段と、
を備えたことを特徴とする遊技機。
【請求項３】
パターン制御手段が選択した停止組合せパターンの有効ラインを無効に切り替える無効設定手段を設けたことを特徴とする請求項１または２に記載の遊技機。
【請求項４】
可変表示遊技の開始から複数の可変表示部の最初の可変表示が停止する以前に、有効ラインを報知する有効ライン報知手段を設けたことを特徴とする請求項１〜３のいずれかに記載の遊技機。
【請求項５】
複数の識別情報の表示データを所定の配列順に格納する表示データ記憶手段と、この格納データに基づく所定の配列および間隔にて複数の識別情報を可変表示する表示手段と、停止組合せパターンに対応して表示する識別情報の大きさを変えずに識別情報間の間隔のみを変更する間隔変更手段とを設けたことを特徴とする請求項１〜４のいずれかに記載の遊技機。
【発明の詳細な説明】
【技術分野】
【０００１】
本発明は、複数の識別情報を複数の可変表示部に可変表示する可変表示装置を備え、この可変表示遊技の結果、複数の可変表示部に亙る停止ライン上に所定の識別情報が停止したことに関連して、所定の遊技価値を付与可能な特別遊技状態を発生可能な遊技機に関する。
【背景技術】
【０００２】
従来より、始動口（始動ゲート）への入賞に基づき可変表示装置に可変表示遊技を行わせ、該可変表示遊技の停止表示態様に基づき所定の遊技価値（例えば、大当たり等）を付与可能な遊技機（例えば、パチンコ遊技機等）として、可変表示装置の複数の可変表示部（例えば、３つ）に亙って上段、中段、下段、斜めの停止ラインを定め、始動口への入賞に基づき複数の可変表示部にそれぞれ図柄（識別情報）を可変表示させると共に、所定時間（例えば、５秒）経過後に図柄を順次停止させて、上段、中段、下段、斜めのいずれかの停止ライン上の図柄の組合せが、予め定められた所定の組合せである特別表示態様（例えば、「７」、「７」、「７」等のゾロ目）であった場合に、大当たり状態（特別遊技状態）を発生させる遊技機がある。
【０００３】
このようなマルチラインの遊技機では、図柄の組合せ領域が多いため、遊技者の大当たりへの期待感を高めることができる。
【発明の開示】
【発明が解決しようとする課題】
【０００４】
しかし、この従来の遊技機における可変表示遊技では、停止ラインや図柄の停止位置が固定であったため、変化に乏しく、遊技が単調になりやすい。例えば、遊技に慣れてくると、図柄の停止位置が目に焼き付いてしまうため、遊技者は視点をその停止位置に無意識に合わせるようになり、そのため遊技を長時間行っていると、遊技そのものが単なる図柄の可変表示を繰り返しているにすぎないと言うマンネリ感に陥り、図柄の可変表示そのものに飽きが来かねないのである。
【０００５】
この場合、大当たり状態を発生する可能性のあるリーチ（例えば、可変表示部の可変表示が停止する過程にて特別表示態様となる可能性のある図柄の組合せが成立した状態）が発生したとき等、該当する停止ラインを点滅させ、大当たりへの期待感を高める等の工夫はあったが、停止ラインが固定のため、遊技そのものの変化は乏しく、十分な興趣は得にくいのである。
【０００６】
この発明は、可変表示遊技の高い興趣を確保することを目的とする。
【課題を解決するための手段】
【０００７】
第１の発明は、複数の識別情報を複数の可変表示部に可変表示して遊技を行う可変表示装置を備え、これらの複数の可変表示部の可変表示遊技の結果、複数の可変表示部に亙る有効ライン上に所定の識別情報の組合せが成立したことに関連して、所定の遊技価値を付与する特別遊技状態を発生可能な遊技機において、複数の可変表示部のそれぞれに設定されて識別情報が停止可能な複数の停止可能位置および該複数の可変表示部に設定された複数の停止可能位置をその線上に含む有効ラインの各々の組合せを定めた複数の異なる停止組合せパターンを有する停止組合せパターン設定手段と、これらの複数の中から始動口への遊技球の入賞に応じて、停止組合せパターンを選択すると共に、選択した停止組合せパターンを基に可変表示遊技の制御を行うパターン制御手段と、少なくとも１つの可変表示部の可変表示が停止している状態で、特別遊技状態を発生する可能性のあるリーチが発生した場合に、リーチ演出表示を行うリーチ演出手段と、リーチ演出表示中に既に選択している停止組合せパターンを別の停止組合せパターンに変更するパターン変更手段と、複数の可変表示部の有効ライン上以外の識別情報の停止可能位置に特別遊技状態を発生可能な組合せの識別情報と同一の識別情報が停止することを規制する停止規制手段と、を備えたことを特徴とする。
【０００８】
第２の発明は、複数の識別情報を複数の可変表示部に可変表示して遊技を行う可変表示装置を備え、これらの複数の可変表示部の可変表示遊技の結果、複数の可変表示部に亙る有効ライン上に所定の識別情報の組合せが成立したことに関連して、所定の遊技価値を付与する特別遊技状態を発生可能な遊技機において、複数の可変表示部のそれぞれに設定されて識別情報が停止可能な複数の停止可能位置および該複数の可変表示部に設定された複数の停止可能位置をその線上に含む有効ラインの各々の組合せを定めた複数の異なる停止組合せパターンを有する停止組合せパターン設定手段と、これらの複数の中から始動口への遊技球の入賞に応じて、停止組合せパターンを選択すると共に、選択した停止組合せパターンを基に可変表示遊技の制御を行うパターン制御手段と、少なくとも１つの可変表示部の可変表示が停止している状態で、特別遊技状態を発生する可能性のあるリーチが発生した場合に、リーチ演出表示を行うリーチ演出手段と、リーチ演出表示中に既に選択している停止組合せパターンを別の停止組合せパターンに変更するパターン変更手段と、複数の可変表示部の有効ライン上以外の識別情報の停止可能位置に特別遊技状態を発生可能な組合せの識別情報と同一の識別情報が停止することを規制する停止規制手段と、を備えたことを特徴とする。
【０００９】
第３の発明は、第１、第２の発明において、パターン制御手段が選択した停止組合せパターンの有効ラインを無効に切り替える無効設定手段を設けたことを特徴とする。
【００１０】
第４の発明は、第１〜第３の発明において、可変表示遊技の開始から複数の可変表示部の最初の可変表示が停止する以前に、有効ラインを報知する有効ライン報知手段を設けたことを特徴とする。
【００１１】
第５の発明は、第１〜第４の発明において、複数の識別情報の表示データを所定の配列順に格納する表示データ記憶手段と、この格納データに基づく所定の配列および間隔にて複数の識別情報を可変表示する表示手段と、停止組合せパターンに対応して表示する識別情報の大きさを変えずに識別情報間の間隔のみを変更する間隔変更手段とを設けたことを特徴とする。
【発明の効果】
【００１２】
第１、第２の発明では、始動口への遊技球の入賞に応じて、複数の可変表示部にそれぞれ設定されて識別情報が停止可能な複数の停止可能位置および該複数の停止可能位置に対応して識別情報の組合せを有効とする有効ラインが変化され、その停止可能位置、有効ラインに基づき識別情報の可変表示、可変表示停止が行われるため、変化に富んだ可変表示遊技を行えると共に、特別遊技状態の発生の可能性のある識別情報の組合せがいずれの停止可能位置の有効ライン上に発生するかの高い興趣を得ることができる。また、識別情報の停止可能位置および有効ラインが変化するので、一定の停止可能位置に遊技者の視点が固定されるようなことはなく、このため長時間遊技を行っていても、遊技者にマンネリ感を与えることがなく、飽きさせることがない。
【００１３】
また、第１、第２の発明では、リーチが発生して行われるリーチ演出表示中に、停止組合せパターンが変更されるため、見た目の当たりの期待度が変化して、遊技者の期待感、緊張感に変化を与えることができ、遊技の興趣を一層高めることができる。
【００１４】
また、第１の発明では、実際にはリーチにならないのに、遊技者にリーチを錯覚させる組合せを除外するので、遊技者に誤解を招くことがなく、遊技店の店員と遊技者とのトラブルを回避することができ、遊技の興趣を損なうことを防止できる。
【００１５】
また、第２の発明では、実際には当たりでないのに、遊技者に当たりとなったような錯覚を起こさせる組合せを除外するので、遊技者に誤解を招いたり、また遊技者をがっかりさせるようなことがなく、遊技店の店員と遊技者とのトラブルを回避することができ、当たり発生への興趣を損なうことを防止できる。
【００１６】
第３の発明では、選択された停止組合せパターンの有効ラインの数が変化されるので、よりバリエーションが拡がり、より可変表示遊技の興趣を高めることができる。
【００１７】
第４の発明では、最初の識別情報の可変表示が停止する以前に、有効ラインを報知することにより、遊技者に対して正確に有効ラインおよび識別情報の停止可能位置を伝えることができると共に、遊技者の可変表示遊技への期待度を高めることができる。
【００１８】
第５の発明では、表示データ記憶手段に表示データが格納されている識別情報を間隔を変更して表示することにより、１可変表示部に要求数の識別情報を的確に表示することができ、データ容量を増やすことなく種々の停止組合せパターンを設定することができる。
【発明を実施するための最良の形態】
【００１９】
以下、添付図面に基づいて、本発明の実施の形態について説明する。
【００２０】
まず、図１〜図３に基づいて、本実施形態の遊技機の構成について説明する。図１には遊技機（パチンコ遊技機）１の正面図を、図２には遊技盤１０の正面図を、図３には遊技の制御系のブロック構成を示す。
【００２１】
遊技機１は、内部の遊技領域（後述）内に遊技球（パチンコ球）を発射して遊技を行うもので、遊技機１の前側上半部には、ガラス板２がガラス枠３に保持された状態で取り付けられている。このガラス板２の奥側には遊技領域を構成する遊技盤１０が設置されている。遊技機１の前側下半部には、打球発射装置（図示省略）に遊技球を供給する上皿６、該上皿６に収容しきれない球を収容する下皿７、打球発射装置の操作ハンドル８などが設置されている。
【００２２】
この遊技盤１０の表面において、ガイドレール９で囲われた部分が遊技領域１１となる。遊技においては、打球発射装置の操作ハンドル８の操作により、遊技球が１個ずつ遊技領域１１へ向けて打ち出される。
【００２３】
遊技領域１１の下方付近には、特別変動入賞装置（大入賞口）１２が配設される。この特別変動入賞装置１２は、大入賞口ソレノイド１２Ａへの通電により開閉されるものである。また、遊技領域１１の各所には一般入賞口１３が設けられるとともに、特別変動入賞装置１２の直ぐ上方には、電動ゲート（普通変動入賞装置）１５を有する始動口１４が配設される。この電動ゲート１５は、電動ゲートソレノイド１５Ａへの通電により動作し、始動口１４への入口の広さを変更する。さらに、遊技領域１１の最下端には、アウト口１６が設けられる。これにより、遊技領域１１内に打ち込まれた遊技球は、遊技領域１１内の各所に配置された風車等の転動誘導部材１により転動方向を変えられながら遊技領域１１表面を流下し、特別変動入賞装置１２、一般入賞口１３、始動口１４、アウト口１６のいずれかに入るようになっている。
【００２４】
各入賞装置（特別変動入賞装置１２、一般入賞口１３、始動口１４）への入賞は、セーフセンサ５１により検出される。そして、入賞した入賞装置の種類に応じた数の賞球が賞球口から排出されるように、排出制御装置２００により、球排出装置（排出ユニット）が制御されるようになっている。
【００２５】
特別変動入賞装置１２上方の遊技領域１１のほぼ中央には、表示装置（可変表示装置：特別図柄表示装置）２０が備えられる。この表示装置２０は、表示制御装置１５０により制御されて、遊技の進行に対応した画像を表示するものである。具体的に、この表示装置２０においては、主たる表示として、表示画面の複数の表示領域にそれぞれ識別情報である図柄（特別図柄：特図）の可変表示が行われ、可変表示遊技が行われるようになっている。これらの図柄としては、例えば、１５個の数字、アルファベット「０」、「１」、「２」〜「９」、「Ａ」〜「Ｅ」が表示される。なお、この表示装置２０の表示画面部分は、例えばＬＣＤ（液晶表示器）、ＣＲＴ（ブラウン管）等から構成される。
【００２６】
始動口１４には入賞球を検出する特図始動センサ５２が設けられる。始動口１４への入賞球は、特図入賞記憶として、遊技制御装置１００の所定の記憶領域（ＲＡＭ１１３の第１〜第４の特図入賞記憶領域）に最大４回分を限度として記憶される。また、この特図入賞記憶の数は、表示装置２０上部に設けられた特図始動記憶表示器２１に表示される。遊技制御装置１００は、この特図入賞記憶に基づき、大当たり発生の抽選を行う。そして、この抽選の結果、遊技が大当たりとなると、特別変動入賞装置１２が、所定期間、球を受け入れない閉状態（遊技者に不利な状態）から球を受け入れやすい開状態（遊技者に有利な状態）に変換され、遊技者により多くの賞球獲得のチャンスが与えられる。
【００２７】
また、この大当たりの抽選のたびに、可変表示遊技が行われる。具体的には、表示装置２０の複数の表示領域（例えば、左、中、右の３つの表示領域）における図柄の停止可能位置および有効ラインが設定され（後述する）、特図入賞記憶に基づき、複数の表示領域に複数の図柄が可変表示され、所定時間経過すると、これらの可変表示がそれぞれ停止可能位置に順に（例えば、左図柄、中図柄、右図柄の順に）停止される。大当たりのときには、有効ラインの一直線上の停止可能位置に同一の図柄が停止され、大当たりでないときには、いずれの有効ラインの一直線上にも、同一図柄が揃わないように、停止されるようになっている。
【００２８】
また、このような可変表示遊技において、可変表示が停止する過程にて有効ライン上に大当たりの図柄の組合せとなる可能性のあるリーチ状態（例えば、左図柄と中図柄が同一図柄で停止表示されてから、最後に右図柄が停止するまでの状態）が発生すると、リーチ可変表示遊技が行われる。このリーチ可変表示遊技では、例えば最後に停止する表示領域の図柄の可変表示を極低速で行ったり、可変表示を逆転したり、あるいは複数の表示領域における図柄の停止可能位置および有効ラインを変更したり、既に停止している図柄を再度可変表示したり、ストーリ動画を表示したり、種々のリーチアクション表示、装飾表示等の演出表示が行われて、最終的に可変表示が停止されるようになっている。なお、無効なライン上に図柄が揃っても、大当たりにならないようになっている。
【００２９】
特別変動入賞装置１２内には、特別変動入賞装置１２への入賞球数をカウントするカウントセンサ５４ならびに特別変動入賞装置１２内に設けられた継続入賞口への入賞球を検出する継続センサ５５が備えられている。
【００３０】
特別変動入賞装置１２の開状態は、このカウントセンサ５４により検出される所定数（例えば、１０個）の入賞または所定時間の経過（例えば、３０秒）を１単位（１ラウンド）として実行される。そして、各ラウンドにおいて特別変動入賞装置１２へ所定数の入賞があり、かつ継続センサ５５により検出される継続入賞口への入賞がある限り、ラウンドは所定の上限値（例えば、１６ラウンド）に至るまで繰り返されるようになっている。
【００３１】
遊技領域１１の所定位置には、普図始動ゲート１８が配設される。この普図始動ゲート１８への遊技球の通過は普図始動ゲートセンサ５３により検出され、この通過タイミング（普図始動記憶）は、遊技制御装置１００に記憶される。遊技制御装置１００は、この普図始動記憶に基づき、普通図柄表示器３０（後述する）に関する当たりの抽選を行う。この当たりが発生したときには、所定時間にわたって始動口１４の電動ゲート１５が開かれ、始動口１４への入賞が容易とされるようになっている。なお、普図始動記憶の記憶数は、普通図柄表示器３０の両側に配設された普図始動記憶表示器３１に表示されようになっている。
【００３２】
始動口１４の基部には、普図（例えば、一桁の数字）を表示する普通図柄表示器３０が配設される。この普通図柄表示器３０における可変表示は、普図始動記憶があると変動を始め、前記抽選が当たりとなると、所定の当たり図柄で停止する。
【００３３】
なお、遊技機１には、装飾表示制御装置３００により制御される各種装飾表示装置（サイドランプ４１等）が配設され、遊技の進行に伴うランプ点灯等の装飾表示が行われるようになっている。さらに、遊技機１には、音制御装置２５０に制御される音出力装置（図示せず）が備えられ、遊技状態に対応した効果音を出力するようになっている。
【００３４】
図３は、遊技の制御系を示すブロック構成図である。図示されるように、遊技制御装置１００は、遊技用マイクロコンピュータ１０１、入力インターフェイス１０２、出力インターフェイス１０３、分配回路１０４、発振器１０５等から構成される。
【００３５】
遊技用マイクロコンピュータ１０１は、ＣＰＵ１１１、ＲＯＭ１１２，ＲＡＭ１１３を備える。
【００３６】
ＣＰＵ１１１は、遊技制御装置１００による制御（遊技制御）を司るＩＣである。ＲＯＭ１１２は、遊技制御のための不変の情報を記憶しているもので、各種プログラムや、遊技制御における大当たりの確率などの定数が記憶されている。ＲＡＭ１１３は、ＣＰＵ１１１による遊技制御時にワークエリアとして利用されるもので、特図乱数カウンタ、特図入賞記憶領域、リーチ発生乱数カウンタ、停止組合せパターン乱数カウンタ、有効無効ライン乱数カウンタ、停止図柄決定乱数カウンタ、普図乱数カウンタ、普図入賞記憶領域、大当たり判定フラグ等が設定される。ここで、特図乱数カウンタ、リーチ発生乱数カウンタ、普図乱数カウンタは、それぞれ大当たり、リーチの有無（大当たり以外）、種類、普図に関する当たりを決定するために用いられ、停止組合せパターン乱数カウンタは、表示装置２０の複数の表示領域における図柄の停止可能位置および停止可能位置に対応する有効ラインの組合せをそれぞれ定めた複数の異なる停止組合せパターンの中から１つの停止組合せパターンを、有効無効ライン乱数カウンタは、停止組合せパターンの有効ラインの有効、無効を、停止図柄決定乱数カウンタは、停止図柄を、選択、決定するために用いられる。また、大当たり判定フラグは、大当たりの発生／非発生を示すフラグである。
【００３７】
遊技用マイクロコンピュータ１０１は、入力インターフェース１０２を介して、各種検出装置、すなわちセーフセンサ５１、特図始動センサ５２、普図始動ゲートセンサ５３、カウントセンサ５４、継続センサ５５からの検出信号が入力され、これらの検出信号に基づいて、ＲＯＭ１１２に格納されたプログラム（遊技プログラム）により、遊技の統括的な制御（遊技制御）を行う。
【００３８】
詳しく説明すると、遊技用マイクロコンピュータ１０１は、特図入賞記憶（特図始動センサ５２による始動口１４への入賞検出のタイミングにおける特図乱数カウンタの値）に基づいて、大当たりの抽選を行う。また、可変表示遊技のリーチの有無、種類および停止組合せパターン、有効ラインの有効、無効、停止図柄を、決定する。また、普図入賞記憶（普図始動センサ５２による普図始動ゲート１８通過検出のタイミングにおける普図乱数カウンタの値）に基づいて、普図に関する当たりの抽選を行う。
【００３９】
さらに、遊技用マイクロコンピュータ１０１は、表示制御装置１５０に表示制御信号を送信して、表示装置２０における表示（例えば、特図の可変表示）を制御する。表示制御装置１５０には、表示装置２０の表示領域に表示する複数の図柄の表示データを表示順序に格納した図柄配列テーブル等を備えている。この図柄の種類と配列の例を図７に示す。左図柄、中図柄、右図柄は、それぞれ配列順に例えば表示領域を下方に向かって回転するように可変表示するが、左図柄、中図柄に対して、右図柄の配列は逆方向にしている。ちなみに、表示制御装置１５０には、表示制御信号に基づく、可変表示遊技、リーチ可変表示遊技の制御データ、ストーリ動画、装飾表示等の演出データを備えている。
【００４０】
さらに、遊技用マイクロコンピュータ１０１は、特図記憶表示器２１、普通図柄表示器３０、普図始動記憶表示器３１に制御信号を送信し、これら各表示器の表示を制御する。また、特別変動入賞装置１２の駆動用ソレノイドである大入賞口ソレノイド１２Ａ、電動ゲート１５の駆動ソレノイドである電動ゲートソレノイド１５Ａに制御信号を送信し、これらのソレノイドへの通電を制御することにより、特別変動入賞装置１２、電動ゲート１５の開閉を制御する。
【００４１】
さらに、遊技用マイクロコンピュータ１０１は、排出制御装置２００に、賞球数データ等を含む排出制御信号（賞球数制御情報）を送信し、図示されない排出装置からの賞球（および貸球）の排出を制御する。なお、排出制御装置５０には、セーフセンサ５１からの検出信号が、分配回路１０４を介して入力される。そして、遊技用マイクロコンピュータ１０１は、装飾表示制御装置３００、音制御装置２５０に、それぞれ音制御信号、装飾表示制御信号を送信し、各種装飾表示装置（サイドランプ４１等）の点滅動作、音出力装置からの音出力等を制御する。
【００４２】
発振器１０５は、一定周期（例えば、２ｍｓｅｃ）のリセット割込信号を生成し、ＣＰＵ１１１のリセット入力端子に入力する。ＣＰＵ１１１は、このリセット割込信号の入力毎に、予め定めた所定番地から遊技プログラムを実行する。遊技制御は、このリセット割込信号の割込時間（信号周期）を単位として実行されることになる。なお、このＣＰＵ１１１のリセットは、遊技用マイクロコンピュータ１０１内でソフト的にかけることもできる。
【００４３】
遊技制御装置１００は、外部情報端子盤６０を介して、図示されない遊技店のホールコンピュータ（中央管理装置）に接続される。ホールコンピュータには、大当たりが発生したときの大当たり信号、確率変動状態への移行を示す確率変動信号、表示装置２０における図柄停止を示す図柄停止信号、異常信号等が送信され、複数の遊技機が統括的に管理される。
【００４４】
次に、図４〜図６に基づいて、本実施の形態における制御および作用について説明する。
【００４５】
図４は、特図ゲーム（特図および大当たりに関連したゲーム）の進行を制御する制御手順を示すフローチャートである。
【００４６】
ステップＳ１では、特図ゲームに関する初期化処理を実行する。具体的には、遊技用マイクロコンピュータ１０１のＲＡＭ１１３の初期化（各乱数カウンタ、特図入賞記憶、普図入賞記憶、大当り判定フラグのリセット）等の必要な初期化処理を行う。
【００４７】
ステップＳ２では、図柄変動開始処理を実行する。この処理は、始動口１４への遊技球入賞に応じて、大当たりの判定、可変表示の停止組合せパターンの選択、停止図柄の設定、図柄の変動開始、等の処理を順次実行するものであるが、詳しい処理内容（図５のサブルーチン）については後述する。
【００４８】
ステップＳ３では、図柄変動停止処理を実行する。この処理は、ステップＳ２で設定された条件にしたがって各図柄の停止等を行うものであるが、詳しい処理内容（図６のサブルーチン）については後述する。
【００４９】
ステップＳ４、Ｓ５では、大当り判定フラグに基づいて、大当たりが発生したか否かの判定（確認）を行う。そして、大当たり不発生（外れ）のときはステップＳ２に戻ってステップＳ２〜Ｓ５のループを繰り返す一方、大当たりが発生したときはステップＳ６に進む。
【００５０】
ステップＳ６では、大当り遊技制御処理を実行する。この大当り遊技制御処理では大当りゲームを行う。具体的には、特別変動入賞装置１２を開放し、この開放状態の１ラウンドを特別変動入賞装置１２に所定個数（例えば、１０個）の遊技球が入賞するまであるいは所定時間経過するまで継続し、このラウンドをラウンド中に継続スイッチによる遊技球検出がなされたことを条件に所定ラウンド数（例えば、１６ラウンド）に至るまで繰り返す、等の処理を行う。
【００５１】
ステップＳ７では、大当り終了処理を実行する。ここでは、大当りの終了に伴う処理、例えば大当りの終了を知らせる画面（大当り終了画面）を表示装置２０に表示する処理等が実行される。
【００５２】
図５は、図柄変動開始処理（図４のステップＳ２）の処理手順を示すフローチャートである。
【００５３】
ステップＳ１１では、特図入賞記憶があるか否かを判定し、ある場合はステップＳ１２に進み、ない場合は始動口１４への入賞により特図入賞記憶が発生するまで待つ。
【００５４】
ステップＳ１２では、大当り判定処理を行う。これは、特図入賞記憶（４個を限度とする特図入賞記憶のうち最も古いもの）に基づき、その入賞時の特図始動センサ５２による始動口１４の入賞検出のタイミングに抽出（記憶）した特図乱数カウンタの値を所定の大当たり値と比較して、一致する場合は大当たりと判定して大当たり判定フラグに大当たりフラグを立て、一致しない場合には外れと判定して外れフラグを立てる。
【００５５】
ステップＳ１３では、ステップＳ１２の判定結果が外れの場合、ステップＳ１４〜Ｓ１９に進み、大当たりの場合、ステップＳ２０〜Ｓ２３に進む。
【００５６】
ステップＳ１４では、停止組合せパターン乱数カウンタの値に基づいて、可変表示の停止組合せパターンを選択する。停止組合せパターンは、表示装置２０の左、中、右の表示領域における図柄の停止可能位置と左、中、右の表示領域に亙る有効ラインの組合せを定めたもので、図８〜図１２に各停止組合せパターンの例を示す。なお、このとき所定の乱数に基づき有効ライン発展リーチ（後述する）の有無も選択すると共に、有効ライン発展リーチ有の場合、選択した停止組合せパターンに対応して第２の停止組合せパターンも選択する。
【００５７】
図８の停止組合せパターンは、左、中、右の表示領域の上辺部と中央部と下辺部に左、中、右の図柄の停止可能位置が設定され、その左、中、右の中央部の停止可能位置に対応して、図柄の組合せを有効とする有効ラインＡ（中段ライン）が設定される。図９の停止組合せパターンは、左、中、右の表示領域の上半部と下半部に左、中、右の図柄の停止可能位置が設定され、その左、中、右の上半部と下半部の停止可能位置に対応して、図柄の組合せを有効とする有効ラインＢ、Ｃ（上半ライン、下半ライン）が設定される。図１０の停止組合せパターンは、左、右の表示領域の上半部と下半部に左、右の図柄の停止可能位置が、中の表示領域の上辺部と中央部と下辺部に中の図柄の停止可能位置が設定され、その左、右の上半部と下半部および中の中央部の停止可能位置に対応して、図柄の組合せを有効とする右上がり、右下がりの有効ラインＤ、Ｅ（右上がりライン、右下がりライン）が設定される。図１１の停止組合せパターンは、左、中、右の表示領域の上部と中央部と下部に左、中、右の図柄の停止可能位置が設定され、その左、中、右の上部と中央部と下部の停止可能位置に対応して、図柄の組合せを有効とする有効ラインＦ、Ｇ、Ｈ（上段ライン、中段ライン、下段ライン）ならびに左、右の上部と下部および中の中央部の停止可能位置に対応して、右上がり、右下がりの有効ラインＩ、Ｊ（右上がりライン、右下がりライン）が設定される。図１２の停止組合せパターンは、左、右の表示領域の上部と中央部と下部に左、右の図柄の停止可能位置が、中の表示領域の上辺部と中央上半部と中央下半部と下辺部に中の図柄の停止可能位置が設定され、その左、右の上部と中央部と下部および中の上辺部と中央上半部と中央下半部と下辺部の停止可能位置に対応して、図柄の組合せを有効とする第１、第２の右上がり、第１、第２の右下がりの有効ラインＫ、Ｌ、Ｍ、Ｎ（右上がりライン、右下がりライン）が設定される。なお、上辺部の位置の図柄は図柄の下半分が、下辺部の位置の図柄は図柄の上半分が表示される。
【００５８】
ステップＳ１５では、ステップＳ１４で選択した停止組合せパターンと有効無効ライン乱数カウンタの値に基づいて、選択した停止組合せパターンの有効ラインを全て有効のままとするか、有効ラインの中から無効ラインとするものを決定する。例えば、図１０の停止組合せパターンの場合、右上がり、右下がりの有効ラインＤ、Ｅを全て有効としたときは有効ラインＤ、Ｅはそのままで、右上がりの有効ラインＤを無効としたときは図１３のように右下がりの有効ラインＥが、右下がりの有効ラインＥを無効としたときは図１４のように右上がりの有効ラインＤが有効とされる。なお、有効ライン発展リーチ有の場合、第２の停止組合せパターンの有効ラインの決定も行う。
【００５９】
ステップＳ１６では、停止図柄設定処理を実行する。これは、選択した停止組合せパターンおよびステップＳ１５で決定した有効ラインおよびリーチ発生乱数カウンタの値に基づいて、左、中、右の停止図柄について、外れの組合せとなる図柄を設定する。リーチ発生の場合は、有効ライン上の最後に停止する図柄以外の停止可能位置に同一の図柄（例えば、「７」、「７」、「Ｘ」）が停止するように設定する。
【００６０】
ステップＳ１７では、リーチ演出方法決定処理を実行する。これは、リーチ発生乱数カウンタの値に基づいて、左、中、右の図柄の停止順序を決定すると共に、リーチの種類を決定する。
【００６１】
ステップＳ１８では、同一画面上へのリーチ図柄出現チェック処理を行う。これは、ステップＳ１５で決定した有効ラインおよびステップＳ１７で決定した左、中、右の図柄の停止順序に基づいて、その有効ライン上以外の停止可能位置に大当たりの可能性のあるリーチの組合せの図柄が停止してしまうか否か、即ち左、中、右の図柄のうち最後に停止する図柄の停止以前に停止する図柄が、大当たりの可能性のあるリーチの組合せを、有効ラインを除く表示画面上の任意の位置に形成してしまうか否かを判定する。例えば、図１５（ａ）〜（ｃ）のように、停止組合せパターン（図１１）において、上段、中段、右上がりの有効ラインＦ、Ｇ、Ｉのみを有効としたとき、図１５（ｄ）のように、その有効ライン上以外の停止可能位置つまり無効とされたライン（ＮＧライン）上の停止可能位置に大当たりの可能性のあるリーチの組合せの図柄が停止してしまう場合は、「チェック結果＝ＮＧ」という判定を行う。図１５（ｄ）では、無効とされたライン（ＮＧライン）上に、「７」が２つ揃ってしまうことを示している。あるいは、図１６（ａ）〜（ｃ）のように、停止組合せパターン（図１０）が選択されて、中図柄が中段に停止することが決定された場合には、右上がり、右下がりの有効ラインＤ、Ｅのみが有効であるが、遊技者は図９の停止組合せパターンも知っているので、これと混同して図１６（ｄ）のように、不用なライン（ＮＧライン）上に図柄が揃うかのような誤解を与えてしまうことを防止するため、有効ライン上以外の停止可能位置つまり不用なライン（ＮＧライン）上の停止可能位置に大当たりの可能性のあるリーチの組合せの図柄が停止してしまう場合にも、「チェック結果＝ＮＧ」という判定を行う。図１６（ｄ）では、今回の停止組合せパターンには対応していない不用なライン（ＮＧライン）上に、「２」が２つ揃ってしまうことを示している。
【００６２】
なお、表示制御を簡略化するために、このような判定処理の代わりに、ステップＳ１５で無効とされたライン（ＮＧライン）上に大当たりの組合せを形成してしまうかという判定を行うようにしても良い。例えば、図１５（ｄ）の無効とされたライン（ＮＧライン）上に同一図柄が揃ってしまう場合に、「チェック結果＝ＮＧ」という判定を行っても良い。この判定方法では、無効なライン上にリーチの組合せが停止する場合があるが、全図柄が停止したときには無効なライン上大当たりの組合せが停止しないので、遊技者にそれほど不快感を与えないようにすることができる。
【００６３】
ステップＳ１９では、ステップＳ１８のチェックの結果、ＮＧの場合、ステップＳ１４に戻ってステップＳ１４〜Ｓ１９のループを繰り返す。ＮＧでなければ、ステップＳ２４に進む。
【００６４】
一方、ステップＳ１２の判定結果が大当たりの場合、ステップＳ２０では、ステップＳ１４と同様に、停止組合せパターン乱数カウンタの値に基づいて、可変表示の停止組合せパターン（図８〜図１２）を選択する。なお、このとき有効ライン発展リーチ（後述する）の有無も選択すると共に、有効ライン発展リーチ有の場合、選択した停止組合せパターンに対応して第２の停止組合せパターンも選択する。
【００６５】
ステップＳ２１では、ステップＳ２０で選択した停止組合せパターンと有効無効ライン乱数カウンタの値に基づいて、選択した停止組合せパターンの有効ラインを全て有効のままとするか、有効ラインの中から無効ラインとするものを決定する。なお、有効ライン発展リーチ有の場合、第２の停止組合せパターンの有効ラインの決定も行う。
【００６６】
ステップＳ２２では、停止図柄設定処理を実行する。これは、大当たりの図柄を選定すると共に、選択した停止組合せパターンおよびステップＳ２１で決定した有効ラインに基づいて、有効ライン上の左、中、右の停止可能位置にその同一の大当たりの図柄（例えば、「７」、「７」、「７」）が停止するように設定する。有効ラインが複数あれば、そのうちの１つを選択して、その有効ライン上の停止可能位置に停止するように設定する。
【００６７】
この場合は、有効ライン上以外の停止可能位置に大当たりの組合せの図柄が停止してしまう可能性があるが、結果的に有効ライン上に大当たりの組合せが成立するので、遊技者に誤解を与えることはない。
【００６８】
ただし、大当たりの組合せとして、遊技者にとって価値の異なるものが複数種類含まれている場合には、ステップＳ１８,Ｓ１９のように、有効ラインを除く表示画面上の任意の位置に大当たりの組合せが成立することを除外する処理を含ませることが好ましい。ここで言う価値の異なるとは、例えば、大当たりの組合せとして、次回の大当たりの発生確率を高くする等の確率変動の組合せと、それ以外の組合せとを、それぞれ含むような場合であったり、大当たり中の獲得遊技球の数が組合せによって異なったりする場合であり、このような遊技機のときは、有効ラインでないライン上に成立した組合せによって、遊技者が損した気分になることを防止するのが好ましい。
【００６９】
ステップＳ２３では、リーチ演出方法決定処理を実行する。これは、リーチ発生乱数カウンタの値に基づいて、左、中、右の図柄の停止順序を決定すると共に、リーチの種類を決定する。
【００７０】
そして、ステップＳ２４では、左、中、右の全図柄の変動（可変表示）を開始する。例えば、図１７（ａ）に示すように、表示装置２０の画面に左、中、右の図柄が停止した状態から、図１７（ｂ）に示すように、左、中、右の図柄をスクロール変動状態に移行させる。この全図柄の変動開始処理の実行で、このサブルーチンは終了する。
【００７１】
なお、リーチおよび大当たりに関し、有効ライン上以外の停止可能位置にリーチの組合せの図柄あるいは大当たりの組合せの図柄が停止、あるいは確率変動図柄の大当たりでないのに確率変動図柄の大当たりの組合せを有効ラインを含む表示画面上の任意の位置に形成してしまう等のＮＧをチェックするようにしたが、予めこうしたＮＧが起きないように停止組合せパターン、有効ライン等の選択を行うようにして良い。
【００７２】
図６は、図柄変動停止処理（図４のステップＳ３）の処理手順を示すフローチャートである。
【００７３】
ステップＳ３１では、表示領域に図５のルーチンで決定した停止組合せパターンの有効ライン（無効ラインならびに有効ライン発展リーチ有の場合の有効ラインは除く）の点滅表示を行う（図１７（ｃ）参照）。
【００７４】
ステップＳ３２では、左、中、右の表示領域の左、中、右の図柄のうち、最初に停止する図柄の停止タイミングかどうかを判定する。
【００７５】
最初に停止する図柄の停止タイミングになると、ステップＳ３３では、有効ラインの表示を消滅する。これはラインによって停止時の図柄を遮らないようにして、図柄を見やすくするためである。
【００７６】
ステップＳ３４では、停止組合せパターンの表示段数（１表示領域に表示する図柄の数）が前回の可変表示の停止組合せパターンの表示段数と異なるかを判定する。図８〜図１０の停止組合せパターンは表示段数「２」、図１１、図１２の停止組合せパターンは表示段数「３」とする。
【００７７】
ステップＳ３５では、停止組合せパターンの表示段数が異なる場合、表示する図柄間隔を変更する。図柄配列テーブル等に図柄の表示データを図７のような配列、間隔で格納している場合、その格納データを基に図柄を表示すれば、停止組合せパターンの表示段数が「３」の場合において、１表示領域に３つの図柄を表示できるが、停止組合せパターンの表示段数が「２」の場合に、その格納データのまま表示したのでは、図柄間隔が狭いため、１表示領域の表示図柄が増えて、対応できない。即ち、この場合、読み込んだ表示データ間にスペースを設けて表示する。したがって、図柄の大きさを変えることなく、図柄間隔を広げて、停止組合せパターンの表示段数が「２」の場合に、１表示領域に２つの図柄を表示する。なお、図柄配列テーブル等に格納した図柄の表示データの間隔が広い場合は、停止組合せパターンの表示段数の増加にしたがい表示データ間のスペースを減少する。
【００７８】
ステップＳ３６では、停止順序にしたがって最初に停止する図柄をその表示領域の停止可能位置に停止する（図１７（ｄ）参照）。
【００７９】
ステップＳ３７では、２番目に停止する図柄の停止タイミングになると、その２番目に停止する図柄をその表示領域の停止可能位置に停止する。
【００８０】
ステップＳ３８では、リーチ発生か否か、すなわち最初に停止した図柄と２番目に停止した図柄のうち、有効ライン上に同一図柄があるか否かを判定する。
【００８１】
リーチが発生しない場合は、ステップＳ４３にて最後に停止する図柄の停止タイミングになると、その最後に停止する図柄をその表示領域の停止可能位置に停止してルーチンを終了する。
【００８２】
一方、リーチが発生した場合には、ステップＳ３９に進み、リーチ演出を開始する。これは、リーチの種類に基づいて、リーチアクション表示、装飾表示、背景画面の点滅等の演出を行う。
【００８３】
ステップＳ４０では、有効ラインのうち、リーチが成立しているラインを点滅表示する（図１７（ｅ）参照）。
【００８４】
次に、ステップＳ４１では、有効ライン発展リーチ有かどうかを判定する。
【００８５】
有効ライン発展リーチ無の場合、ステップＳ４３にて最後に停止する図柄の停止タイミングになると、その最後に停止する図柄をその表示領域の停止可能位置に停止してルーチンを終了する。
【００８６】
有効ライン発展リーチ有の場合、ステップＳ４２に進み、決定してある第２の停止組合せパターンの有効ライン上へ最初に停止している図柄と２番目に停止している図柄をスライドすると共に、その新しい有効ラインを点滅表示する。この場合、例えば図１７（ｆ）、（ｇ）のように、新しい有効ラインを点滅表示しながら、その新しい有効ラインと共に最初に停止している図柄と２番目に停止している図柄を第２の停止組合せパターンの位置へスライドする。そして、ステップＳ４３にて最後に停止する図柄の停止タイミングになると、その最後に停止する図柄をその表示領域の第２の停止組合せパターンの停止可能位置に停止してルーチンを終了する。
【００８７】
このような構成により、遊技球の始動口１４への入賞（入賞記憶）に基づき、表示装置２０の表示画面に複数の図柄の可変表示遊技が行われるが、この場合可変表示遊技毎に図柄の停止可能位置および有効ラインの組合せを定めた停止組合せパターンが選択され、選択された停止組合せパターンに基づき可変表示遊技が行われる。
【００８８】
即ち、可変表示遊技毎に、表示画面の複数の表示領域における図柄の停止可能位置および停止可能位置に対応して図柄の組合せを有効とする有効ラインが変化され、その停止可能位置、有効ラインに基づき図柄の可変表示、可変表示停止が行われるのであり、このため変化に富んだ可変表示遊技を行えると共に、大当たりの可能性のあるリーチの図柄の組合せがいずれの停止可能位置の有効ライン上に発生するかの高い興趣が得られる。
【００８９】
また、図柄の停止可能位置および有効ラインが変化するので、従来のように一定の停止可能位置に遊技者の視点が固定されるようなことはなく、このため長時間遊技を行っていても、遊技者にマンネリ感を与えることがなく、飽きさせることがない。
【００９０】
また、複数の停止組合せパターンの中から１つの停止組合せパターンが選択されると共に、その停止組合せパターンの有効ラインの一部を無効としたり、全てを有効としたり、つまり選択された停止組合せパターンの有効ラインの数も変化されるので、よりバリエーションが拡がり、より可変表示遊技の興趣が高められる。
【００９１】
また、表示領域に有効ラインが表示されるので、遊技者に対して正確に有効ラインおよび図柄の停止可能位置を伝えることができる。この場合、最初の図柄が停止する以前に、有効ラインを表示することにより、遊技者の可変表示遊技への期待度が高められる。また、有効ラインや停止可能位置が後述のように変更されたとき等、新たに有効ラインを表示することにより、より高い興趣が得られる。
【００９２】
一方、停止組合せパターンの図柄の停止可能位置や有効ラインの無効化によって、実際にはリーチにならないのに、遊技者にリーチを錯覚させる組合せ（図１５（ｄ）、図１６（ｄ）参照）が起きる心配があるが、これに対して、左、中、右の図柄の全てが停止する以前に、有効ライン上以外の停止可能位置に大当たりの可能性のあるリーチの組合せの図柄が停止してしまう（ＮＧ）か否かが判定され、ＮＧの場合、停止が規制され、停止組合せパターン、有効ラインの選択、停止図柄の設定が再度行われる。これにより、遊技者にリーチを錯覚させる組合せを事前に除外して、遊技上の混乱を回避する。即ち、選択された停止組合せパターンの有効ラインの一部が無効とされたとき、あるいは選択された停止組合せパターンがその他の停止組合せパターンと類似しているとき等、有効でないライン上にリーチを錯覚させる組合せが成立してしまうと、遊技者にそのライン上に図柄が揃うかのような誤解を与えてしまうが、このような処理によって、誤解ならびに不快感を与えることが防止される。
【００９３】
また、大当たりの組合せの図柄が有効ライン上以外の停止可能位置に停止してしまう（ＮＧ）か否かを判定して、ＮＧの場合、停止を規制して、停止組合せパターン、有効ラインの選択、停止図柄の設定を再度行うことによって、有効でないライン上に大当たりの組合せが成立するのを回避する。これにより、外れ時に遊技者に誤解ならびに不快感を与えることが防止される。
【００９４】
このため、表示上のリーチ発生、大当たり発生に関して、遊技者に誤解を招かないようにすることができる。したがって、遊技者をぬか喜びさせてがっかりさせることがなくなるだけでなく、「表示で当たりが出た」、「そんなことはない」等といった、遊技店の店員と遊技者とのトラブルをも回避することができ、かつ遊技の興趣を損なうことを防止できる。
【００９５】
また、有効ライン発展リーチ有の場合、第２の停止組合せパターンおよび新たな有効ラインが選択されると共に、リーチ演出表示中に、その第２の停止組合せパターンの図柄の停止可能位置および新たな有効ラインに変更され、これらに基づきリーチ可変表示が行われる。このため、大当たりの発生が期待されるリーチ演出中にリーチラインが変わり見た目の大当たりの期待度が変化するので、遊技者の緊張感にも変化を与えることができ、遊技の興趣が一層高められる。
【００９６】
また、停止組合せパターンの表示段数（１表示領域に表示する図柄の数）が異なる場合、表示する図柄間隔を変更するので、異なる表示データを備えずとも、要求数の図柄を的確に表示することができ、図柄のデータ容量を増やすことなく種々の停止組合せパターンを設定することができる。したがって、コストを低減できる。
【００９７】
なお、実施の形態では、停止組合せパターン、有効ライン、停止図柄の選定を遊技制御装置１００が行っているが、表示制御装置１５０が行うようにしても良い。また、有効ラインの表示は、定期的にあるいは常時行うようにしても良い。また、有効ラインが複数ある場合、順次表示するようにしても良い。
【００９８】
また、実施の形態では、右図柄あるいは中図柄が最後に停止するリーチの例を示したが、もちろんこれに限定されない。つまり、リーチ状態には、左図柄および中図柄が同一の図柄で停止して右図柄が停止することを待っている状態や、中図柄および右図柄が同一の図柄で停止して左図柄の停止を待機している状態のみならず、左図柄が任意の図柄で停止し、中図柄および右図柄が同一の図柄を揃えた状態で変動している状態、もしくは全部の図柄が同一図柄を揃えたまま変動している状態等、遊技者にとって視覚的に大当たりを期待させる演出が行われている状態の全般を含むので、これらのリーチ状態に対しても、本発明が適用可能であるのは明らかである。
【００９９】
また、実施の形態では、表示装置２０に左、中、右の表示領域を設定した例を示したが、もちろんこれに限定されない。例えば、表示領域を上、中、下に設定したもの、また斜めあるいは三角形に複数の表示領域を設定したもの、また４つ以上の表示領域を設定したもの、また表示領域の位置や大きさ等を可変としたものであっても適用可能である。
【０１００】
なお、実施の形態では、定位置を基準に図柄がわずかに揺動して完全に停止していない場合であっても、遊技者には図柄が停止していると認識できる場合には、この様な態様が停止表示に含まれることは言うまでもない。
【０１０１】
特許請求の範囲に記載した以外の本発明の観点の代表的なものとして、次のものがあげられる。
（１）複数の識別情報を複数の可変表示部に可変表示して遊技を行う可変表示装置を備え、これらの複数の可変表示部の可変表示遊技の結果、複数の可変表示部に亙る有効ライン上に所定の識別情報の組合せが成立したことに関連して、所定の遊技価値を付与する特別遊技状態を発生可能な遊技機において、それぞれ複数の可変表示部における識別情報の停止可能位置および停止可能位置に対応する有効ラインの各々の組合せを定めた複数の異なる停止組合せパターンを有する停止組合せパターン設定手段と、これらの複数の中から停止組合せパターンを選択すると共に、選択した停止組合せパターンを基に可変表示遊技の制御を行うパターン制御手段とを備え、停止組合せパターンは可変表示遊技毎に選択するようにしたことを特徴とする遊技機。
（２）パターン制御手段が選択した停止組合せパターンの有効ラインを無効に切り替える無効設定手段を設けたことを特徴とする（１）に記載の遊技機。
（３）可変表示遊技の開始から複数の可変表示部の最初の可変表示が停止する以前に、有効ラインを報知する有効ライン報知手段を設けたことを特徴とする（１）または（２）に記載の遊技機。
（４）複数の可変表示部の全ての可変表示が停止する以前に、複数の可変表示部の有効ライン上以外の識別情報の停止可能位置に特別遊技状態を発生する可能性のあるリーチの組合せになる識別情報が停止することを規制する停止規制手段を設けたことを特徴とする（１）〜（３）のいずれか１つに記載の遊技機。
（５）複数の可変表示部の有効ライン上以外の識別情報の停止可能位置に特別遊技状態を発生可能な組合せの識別情報が停止することを規制する停止規制手段を設けたことを特徴とする（１）〜（４）のいずれか１つに記載の遊技機。
（６）少なくとも１つの可変表示部の可変表示が停止している状態で、特別遊技状態を発生する可能性のあるリーチが発生した場合に、リーチ演出表示を行うリーチ演出手段と、リーチ演出表示中に既に選択している停止組合せパターンを別の停止組合せパターンに変更するパターン変更手段とを設けたことを特徴とする（１）〜（５）のいずれか１つに記載の遊技機。
（７）複数の識別情報の表示データを所定の配列順に格納する表示データ記憶手段と、この格納データに基づく所定の配列および間隔にて複数の識別情報を可変表示する表示手段と、停止組合せパターンに対応して表示する識別情報の大きさを変えずに識別情報間の間隔のみを変更する間隔変更手段とを設けたことを特徴とする（１）〜（６）のいずれか１つに記載の遊技機。
【図面の簡単な説明】
【０１０２】
【図１】本発明の実施の形態を示す遊技機の正面図である。
【図２】遊技機の遊技盤の正面図である。
【図３】遊技機の制御系を示す構成図である。
【図４】特図ゲームの進行の制御手順を示すフローチャートである。
【図５】図柄変動開始処理の処理手順を示すフローチャートである。
【図６】図柄変動停止処理の処理手順を示すフローチャートである。
【図７】図柄の配列の例を示す説明図である。
【図８】停止組合せパターンの例を示す説明図である。
【図９】停止組合せパターンの例を示す説明図である。
【図１０】停止組合せパターンの例を示す説明図である。
【図１１】停止組合せパターンの例を示す説明図である。
【図１２】停止組合せパターンの例を示す説明図である。
【図１３】無効ラインの例を示す説明図である。
【図１４】無効ラインの例を示す説明図である。
【図１５】ＮＧの表示の例を示す説明図である。
【図１６】ＮＧの表示の例を示す説明図である。
【図１７】表示例を示す説明図である。
【符号の説明】
【０１０３】
２０ 表示装置
１００ 遊技制御装置
１５０ 表示制御装置
【図１】
2008200537.tif 000003
【図３】
2008200537.tif 000004
【図４】
2008200537.tif 000005
【図５】
2008200537.tif 000006
【図６】
2008200537.tif 000007
【図７】
2008200537.tif 000008
【図８】
2008200537.tif 000009
【図９】
2008200537.tif 000010
【図１０】
2008200537.tif 000011
【図１１】
2008200537.tif 000012
【図１２】
2008200537.tif 000013
【図１３】
2008200537.tif 000014
【図１４】
2008200537.tif 000015
【図１５】
2008200537.tif 000016
【図１６】
2008200537.tif 000017
【図１７】
2008200537.tif 000018
【図２】
2008200537.tif 000019